(57)【要約】  【課題】  確実に導電シートとＥＬシートを接着又は剥離させる機能を備え、安定して何度でも文字や図形を発光又は消光させることができ、利便性や信頼性に優れた発光表示装置を提供する。  【解決手段】  本発明の発光表示装置１は、透明導電シート２、ＥＬシート３、収納ケース４、固定フレーム５、加圧ピン６、弾性材７を備えている。また、透明導電シート２とＥＬシート３は、スペーサ１０により所定の距離を離して設置されている。収納ケース４は、透明導電シート２とＥＬシート３を収納して衝撃や熱等の外部環境から保護するようになっている。さらに、加圧ピン６は、収納ケース４に形成されたガイド溝１５に挿入され、固定フレーム５を介してＥＬシート３の端部を下方に加圧するようになっている。また、弾性材７は、加圧されるＥＬシート３の下方に設けられ、一端がＥＬシート３に当接され、他端が収納ケース４に当接されている。【選択図】  図１
2006012697.tif 000002
【特許請求の範囲】
【請求項１】
導電シートとＥＬシートの間に交流電圧を印加しておき、前記導電シートと前記ＥＬシートを接着又は剥離させることにより発光又は消光を行なう電界発光灯と、前記電界発光灯を収容する収容ケースと、前記導電シートと前記ＥＬシートを剥離させる前記収容ケースに付属した消光機構を有することを特徴とする発光表示装置。
【請求項２】
前記導電シートが透明電極を有し、前記ＥＬシートが発光層、反射絶縁層及び裏面電極を有することを特徴とする請求項１記載の発光表示装置。
【請求項３】
前記導電シートが裏面電極を有し、前記ＥＬシートが発光層、反射絶縁層及び透明電極を有することを特徴とする請求項１記載の発光表示装置。
【請求項４】
前記透明電極が、イオン伝導性高分子ゲル、酸化インジウム、酸化錫、酸化アンチモン、酸化亜鉛及び導電性高分子の少なくとも一種類以上を含む導電性材料からなることを特徴とする請求項２又は３記載の発光表示装置。
【請求項５】
前記裏面電極が、イオン伝導性高分子ゲル、酸化インジウム、酸化錫、酸化アンチモン、酸化亜鉛、カーボン、アルミニウム、ニッケル、銅、銀、白金、金及び導電性高分子の少なくとも一種類以上を含む導電性材料からなることを特徴とする請求項２又は３記載の発光表示装置。
【請求項６】
前記電界発光灯の消光機構が、機械的手段により前記ＥＬシートに剥離方向の力を加え、前記導電シートと前記ＥＬシートの接着部を剥離して行うことを特徴とする請求項１〜３のいずれかに記載の発光表示装置。
【請求項７】
前記電界発光灯の消光機構が、機械的手段により前記導電シートに剥離方向の力を加え、前記導電シートと前記ＥＬシートの接着部を剥離して行うことを特徴とする請求項１〜３のいずれかに記載の発光表示装置。
【請求項８】
前記電界発光灯の消光機構が、機械的手段により前記導電シートとＥＬシートの両者に剥離方向の力を加え、前記導電シートと前記ＥＬシートの接着部を剥離して行うことを特徴とする請求項１〜３のいずれかに記載の発光表示装置。
【請求項９】
前記電界発光灯の消光機構が、供給ガスによるガス加圧手段により前記導電シートとＥＬシートの両者に剥離方向の力を加え、前記導電シートと前記ＥＬシートの接着部を剥離して行うことを特徴とする請求項１〜３のいずれかに記載の発光表示装置。
【請求項１０】
前記機械的手段が、加圧治具、回転治具、移動治具又は挿入治具を用いて行うことを特徴とする請求項６〜８のいずれかに記載の発光表示装置。
【請求項１１】
前記供給ガスが、空気、窒素、アルゴン、ヘリウム又はこれらの混合ガスからなることを特徴とする請求項９記載の発光表示装置。
【請求項１２】
前記電界発光灯の発光機構が、押圧手段により前記導電シートに圧力を加え、前記導電シートと前記ＥＬシートを接着して行うことを特徴とする請求項１〜３のいずれかに記載の発光表示装置。
【請求項１３】
前記電界発光灯の発光機構が、押圧手段により前記ＥＬシートに圧力を加え、前記導電シートと前記ＥＬシートを接着して行うことを特徴とする請求項１〜３のいずれかに記載の発光表示装置。
【請求項１４】
前記押圧手段の先端に、文字や図形に対応した凸部が形成されていることを特徴とする請求項１２又は１３記載の発光表示装置。
【請求項１５】
前記押圧手段の先端に、文字や図形に対応した凸部が接着部材により固定されていることを特徴とする請求項１２又は１３記載の発光表示装置。
【請求項１６】
前記凸部が、前記押圧手段から着脱自在であることを特徴とする請求項１４記載の発光表示装置。
【発明の詳細な説明】
【技術分野】
【０００１】
本発明は装飾や看板、玩具、インテリア等として好適な発光表示装置に関し、特に、高品位の文字や図形を容易に発光又は消光できる電界発光灯を用いた発光表示装置に関するものである。
【背景技術】
【０００２】
透明電極と裏面電極の間に交流電圧を印加して、両電極間に挟まれた発光層から出た光を透明電極を介して全面発光させる電界発光灯は、液晶ディスプレイのバックライト等に使用されている。これとは別に、文字や図形などのキャラクタ表示を目的として、裏面電極を分割し、この分割した裏面電極に交流電圧を印加して、発光層を発光させる電界発光灯があり、例えば特開平８−１５３５８２号公報（特許文献１）に開示されている。
【０００３】
図１３は、従来の電界発光灯１３１の構成を示す要部断面図である。従来の電界発光灯１３１は、ポリエチレンテレフタレート、ポリイミド等から成る絶縁性ベースフィルム１３２上に、銅、アルミニウム等の導電性材料を接着剤等で接着し、エッチング等の手段により電気的に分割された裏面電極１３３ａ、１３３ｂを櫛型状に形成し、この裏面電極１３３ａ、１３３ｂ上に反射絶縁層１３４と発光層１３５を順次、積層形成し、さらに発光層１３５の上に、導電性で可視光透過性のあるペースト（例えば、インジウム錫酸化物やアンチモン錫酸化物をアクリルメラミン樹脂に分散させたペースト）又は、導電性で可視光透過性のあるインク（例えば、インジウム錫酸化物やアンチモン錫酸化物を液中に分散させたインク、又はイオン性界面活性剤を含んだ水溶性インク）を使用したペンで、使用者の好みに応じた所定形状を描くことにより、透明電極１３６を形成することができる。
【０００４】
次に、かかる構成の電界発光灯１３１の発光原理について説明する。裏面電極１３３ａ、１３３ｂに所定の交流電圧を印加すると、反射絶縁層１３４と発光層１３５が容量性を有するために、裏面電極１３３ａ、１３３ｂと透明電極１３６の間に電位差が生じる。その結果、発光層１３５に高電界がかかり、使用者が塗布や印刷等の手段により好みの所定形状に成膜した表示電極である透明電極１３６を通して、発光層１３５から光が取り出される。
【０００５】
しかしながら、上述した従来の電界発光灯１３１には、次のような問題があった。使用者が任意の文字や図形を発光させるために、透明電極１３６として導電性ペーストを使用する場合は、専用の乾燥設備が必要になるという問題があった。
【０００６】
また、透明電極１３６として導電性インクを使用する場合、乾燥の必要はないが、消光させるために導電性インクを完全に拭き取らねばならず、非常に手間がかかるという問題があった。
【０００７】
さらに、導電性インクとしてイオン性界面活性剤を含んだ水溶性インクを長時間使用すると、イオン性界面活性剤が電界に引き寄せられ、徐々に発光層１３５及び反射絶縁層１３４の内部に浸透して裏面電極１３３ａ、１３３ｂに達し、絶縁劣化から最終的には裏面電極１３３ａ、１３３ｂが腐蝕し、電界発光灯１３１が不灯になる等の致命的な問題も発生していた。
【０００８】
そこで、本発明者は、これらの問題を解決するために、導電性ペーストや導電性インクを使用しない新しい方式の電界発光灯を開発し、特願２００４−１３５１３３号明細書（平成１６年４月３０日出願、本出願時未公開、特許文献２）を出願した。
【０００９】
図１４は、本出願人が先に出願した電界発光灯１４１の構成を示す断面図であり、図１４（ａ）は発光状態を示し、図１４（ｂ）は消光状態を示す。
【００１０】
図１４（ａ）、（ｂ）に示す電界発光灯１４１は、透明導電シート１４２とＥＬシート１４３を備えている。
【００１１】
透明導電シート１４２は、ポリエチレン、ポリエステル、ポリエチレンテレフタレート等からなる透明フィルム１４４と、透明フィルム１４４の上に形成された透光性、粘着性を有するイオン伝導性高分子ゲルからなる透明電極粘着層１４５と、透明電極粘着層１４５に分散形成された架橋ポリメタクリル酸メチルの粒形樹脂ビーズ等からなるスペーサ１４６から構成されている。
【００１２】
一方、ＥＬシート１４３は、ポリエチレン、ポリエステル、ポリエチレンテレフタレート、ポリイミド等からなる基材フィルム１４７と、その上に形成された銅やアルミニウム等の導電性材料を接着剤等で接着してなる裏面電極１４８と、チタン酸バリウムからなる高誘電体粉末をフッ素ゴム中に分散してなる反射絶縁層１４９と、硫化亜鉛を銅で付活し防湿コーティングを施した蛍光体をフッ素ゴム中に分散してなる発光層１５０から構成されている。
【００１３】
なお、透明導電シート１４２とＥＬシート１４３は、スペーサ１４６により所定の距離を離して設置されている。
【００１４】
次に、図１４（ａ）により、電界発光灯１４１の発光方法を説明する。先ず、透明電極粘着層１４５と裏面電極１４８に所定の交流電圧を印加した後、ペン（導電性インクは必要ない）、スティック、スタイラス、細い棒状の物、指等の押圧治具１５１を使用して文字や図形を表示させたい箇所の透明導電シート１４２を上から押圧する。押圧された箇所の透明導電シート１４２が凹状に変形し、透明電極粘着層１４５が発光層１５０と接触する。このとき、透明電極粘着層１４５は粘着性を有するイオン伝導性高分子ゲルで形成されているので、高分子ゲルの粘着力により、透明電極粘着層１４５は発光層１５０に接着保持される。そして、この透明電極粘着層１４５が接着保持された部分の発光層１５０に高電界がかかり発光する。すなわち、押圧治具１５１で押圧した部分が、瞬時に任意の文字や図形として発光することになる。
【００１５】
電界発光灯１４１を消光する場合には、図１４（ｂ）に示すように、透明導電シート１４２の両側又は片側を所定の高さだけ上方に引き上げることにより、透明電極粘着層１４５と発光層１５０の接着部分を機械的に引き剥がす。これにより、発光層１５０が絶縁されて消光する。
【００１６】
この電界発光灯１４１によれば、透明導電シート１４２とＥＬシート１４３を接着又は剥離させるだけで、使用者が任意の文字や図形を容易に発光又は消光させることができる。導電性ペーストや導電性インクを使う必要がなく、又水や溶剤などで拭き取る必要もない。その結果、導電性ペーストの成膜乾燥に用いる乾燥設備が不要になるとともに、導電性インクの描き消しにかかる使用者の負担も軽減することができる。さらには、導電性インクが原因で発生する絶縁劣化や裏面電極の腐蝕等の問題も解決できる。
【００１７】
また、図１５（ａ）〜図１６（ｅ）は、本出願人が先に出願した電界発光灯の他の構成を示す断面図である。図１４と同一の構成には、同一符号を付して説明を省略する。
【００１８】
先ず、図１５（ａ）に示す電界発光灯１６１は、透明導電シート１６２が、透明フィルム１４４、ＩＴＯ（Indium Tin Oxide）等からなる透明電極１６３、アクリル系粘着剤等からなる粘着層１６４、スペーサ１４６から構成されている。ＥＬシート１４３は、図１４に示した電界発光灯１４１と同じ構成である。また、図１５（ｂ）に示す電界発光灯１７１は、透明導電シート１７２が、透明フィルム１４４、透明電極１６３から構成され、ＥＬシート１７３が、基材フィルム１４７、裏面電極１４８、反射絶縁層１４９、発光層１５０、粘着層１６４、スペーサ１４６から構成されている。
【００１９】
これらの電界発光灯１６１、１７１は、図１４に示した電界発光灯１４１の透明電極粘着層１４５を、透明電極１６３と粘着層１６４の２層に分離し、その配置を変更したものである。透明電極１６３に抵抗値の低いＩＴＯを使用するので、透明電極１６３の電力損失を低減でき、輝度や電池寿命を向上させることができる。
【００２０】
また、図１６（ｃ）に示す電界発光灯１８１は、裏面導電シート１８２が、基材フィルム１４７、粘着性を有する裏面イオン伝導性高分子ゲルからなる裏面電極粘着層１８４、スペーサ１４６から構成され、ＥＬシート１８３が、透明フィルム１４４、透明電極１６３、発光層１５０、反射絶縁層１４９から構成されている。
【００２１】
この電界発光灯１８１は、図１４に示した電界発光灯１４１の透明電極粘着層１４５を、裏面電極粘着層１８４に変更したものである。裏面電極粘着層１８４が発光層１５０の下側に設けられているので、透明である必要がない。そのため、不透明な材料でも使用することができ、材料の選択範囲が大幅に広がる。また、押圧治具１５１によりＥＬシート１８３の上から押圧して発光させるので、裏面電極粘着層１８４に過剰な力が加わることがない。これにより、裏面電極粘着層１８４の変形量が少なくなるので、抵抗値が安定して、電界発光灯１８１の使用寿命を延ばすことができる。
【００２２】
また、図１６（ｄ）に示す電界発光灯１９１は、裏面導電シート１９２が、基材フィルム１４７、裏面電極１４８、粘着層１６４、スペーサ１４６から構成されている。ＥＬシート１８３は、図１６（ｃ）に示した電界発光灯１８１と同じ構成である。さらに、図１６（ｅ）に示す電界発光灯２０１は、裏面導電シート２０２が、基材フィルム１４７、裏面電極１４８から構成され、ＥＬシート２０３が、透明フィルム１４４、透明電極１６３、発光層１５０、反射絶縁層１４９、粘着層１６４、スペーサ１４６から構成されている。
【００２３】
これらの電界発光灯１９１、２０１は、図１６（ｃ）に示した電界発光灯１８１の裏面電極粘着層１８４を、裏面電極１４８と粘着層１６４の２層に分離し、その配置を変更したものである。裏面電極１４８に抵抗値の低い銅やアルミニウムを使用するので、裏面電極１４８の電力損失をさらに低減でき、輝度や電池寿命をより向上させることができる。
【特許文献１】特開平８−１５３５８２号公報（第２，３頁、００１２段落〜００２１段落、図１）
【特許文献２】特願２００４−１３５１３３号明細書（００４０段落〜００５３段落、図１〜図３）
【発明の開示】
【発明が解決しようとする課題】
【００２４】
上述した電界発光灯１４１、１６１、１７１、１８１、１９１、２０１を、装飾、看板、玩具、文具等の発光表示装置へ適用する場合、発光表示装置の利便性や信頼性をより向上させるためには、透明導電シート又は裏面導電シートとＥＬシートを確実に接着又は剥離させることが重要になる。特に剥離が不十分になると、文字や図形が消去できずに新たな描き込みができなくなる。また、無理な力を加えて剥離させようとすると、透明電極粘着層又は裏面電極粘着層が剥がれて不発光領域が生じ、発光表示装置の信頼性を大きく低下させることになる。
【００２５】
本発明は、上記問題点を解決するために考えられたもので、確実に導電シートとＥＬシートを接着又は剥離させる機能を備え、安定して何度でも文字や図形を発光又は消光させることができ、利便性や信頼性に優れた発光表示装置を提供することを目的とする。
【課題を解決するための手段】
【００２６】
上記目的を達成するために、本発明の請求項１記載の発光表示装置は、導電シートとＥＬシートの間に交流電圧を印加しておき、前記導電シートと前記ＥＬシートを接着又は剥離させることにより発光又は消光を行なう電界発光灯と、前記電界発光灯を収容する収容ケースと、前記導電シートと前記ＥＬシートを剥離させる前記収容ケースに付属した消光機構を有することを特徴とする。
【００２７】
また、請求項２記載の発光表示装置は、請求項１記載の発光表示装置であって、前記導電シートが透明電極を有し、前記ＥＬシートが発光層、反射絶縁層及び裏面電極を有することを特徴とする。
【００２８】
また、請求項３記載の発光表示装置は、請求項１記載の発光表示装置であって、前記導電シートが裏面電極を有し、前記ＥＬシートが発光層、反射絶縁層及び透明電極を有することを特徴とする。
【００２９】
また、請求項４記載の発光表示装置は、請求項２又は３記載の発光表示装置であって、前記透明電極が、イオン伝導性高分子ゲル、酸化インジウム、酸化錫、酸化アンチモン、酸化亜鉛及び導電性高分子の少なくとも一種類以上を含む導電性材料からなることを特徴とする。
【００３０】
また、請求項５記載の発光表示装置は、請求項２又は３記載の発光表示装置であって、前記裏面電極が、イオン伝導性高分子ゲル、酸化インジウム、酸化錫、酸化アンチモン、酸化亜鉛、カーボン、アルミニウム、ニッケル、銅、銀、白金、金及び導電性高分子の少なくとも一種類以上を含む導電性材料からなることを特徴とする。
【００３１】
また、請求項６記載の発光表示装置は、請求項１〜３のいずれかに記載の発光表示装置であって、前記電界発光灯の消光機構が、機械的手段により前記ＥＬシートに剥離方向の力を加え、前記導電シートと前記ＥＬシートの接着部を剥離して行うことを特徴とする。
【００３２】
また、請求項７記載の発光表示装置は、請求項１〜３のいずれかに記載の発光表示装置であって、前記電界発光灯の消光機構が、機械的手段により前記導電シートに剥離方向の力を加え、前記導電シートと前記ＥＬシートの接着部を剥離して行うことを特徴とする。
【００３３】
また、請求項８記載の発光表示装置は、請求項１〜３のいずれかに記載の発光表示装置であって、前記電界発光灯の消光機構が、機械的手段により前記導電シートとＥＬシートの両者に剥離方向の力を加え、前記導電シートと前記ＥＬシートの接着部を剥離して行うことを特徴とする。
【００３４】
また、請求項９記載の発光表示装置は、請求項１〜３のいずれかに記載の発光表示装置であって、前記電界発光灯の消光機構が、供給ガスによるガス加圧手段により前記導電シートとＥＬシートの両者に剥離方向の力を加え、前記導電シートと前記ＥＬシートの接着部を剥離して行うことを特徴とする。
【００３５】
また、請求項１０記載の発光表示装置は、請求項６〜８のいずれかに記載の発光表示装置であって、前記機械的手段が、加圧治具、回転治具、移動治具又は挿入治具を用いて行うことを特徴とする。
【００３６】
また、請求項１１記載の発光表示装置は、請求項９記載の発光表示装置であって、前記供給ガスが、空気、窒素、アルゴン、ヘリウム又はこれらの混合ガスからなることを特徴とする。
【００３７】
また、請求項１２記載の発光表示装置は、請求項１〜３のいずれかに記載の発光表示装置であって、前記電界発光灯の発光機構が、押圧手段により前記導電シートに圧力を加え、前記導電シートと前記ＥＬシートを接着して行うことを特徴とする。
【００３８】
また、請求項１３記載の発光表示装置は、請求項１〜３のいずれかに記載の発光表示装置であって、前記電界発光灯の発光機構が、押圧手段により前記ＥＬシートに圧力を加え、前記導電シートと前記ＥＬシートを接着して行うことを特徴とする。
【００３９】
また、請求項１４記載の発光表示装置は、請求項１２又は１３記載の発光表示装置であって、前記押圧手段の先端に、文字や図形に対応した凸部が形成されていることを特徴とする。
【００４０】
また、請求項１５記載の発光表示装置は、請求項１２又は１３記載の発光表示装置であって、前記押圧手段の先端に、文字や図形に対応した凸部が接着部材により固定されていることを特徴とする。
【００４１】
また、請求項１６記載の発光表示装置は、請求項１４記載の発光表示装置であって、前記凸部が、前記押圧手段から着脱自在であることを特徴とする。
【発明の効果】
【００４２】
以上説明したように、本発明の発光表示装置によれば、加圧治具、回転治具又は移動治具等の機械的手段により導電シート又はＥＬシートに剥離方向の力を加え、導電シートとＥＬシートの接着面を引き剥がすようにしたので、導電シートとＥＬシートを確実に剥離することができる。また、挿入治具等の機械的手段又は供給ガス等のガス加圧手段により導電シートとＥＬシートの両者に剥離方向の力を加え、導電シートとＥＬシートの接着面を引き剥がすようにしたので、導電シートとＥＬシートを確実に剥離することができる。これにより、長期に亘って安定して発光又は消光を行うことができる。
【００４３】
また、文字や図形に対応した凸部を形成した押圧治具により、導電シート又はＥＬシートを押圧し、導電シートとＥＬシートを接着させるようにしたので、高品位の文字や図形を容易に発光表示することができる。これにより、看板や広告等のように表示する情報を日々変化させるような宣伝媒体として利用できる。
【発明を実施するための最良の形態】
【００４４】
以下、本発明の好ましい実施の形態を、図面を参照して説明する。図１は本発明の第１実施例の発光表示装置１の構成を示す断面図であり、図１（ａ）は発光状態を示し、図１（ｂ）は消光状態を示している。
【００４５】
図１（ａ）、（ｂ）に示す第１実施例の発光表示装置１は、透明導電シート２、ＥＬシート３、収納ケース４、固定フレーム５、加圧ピン６、弾性材７を備えている。
【００４６】
透明導電シート２は、ポリエチレン、ポリエステル、ポリエチレンテレフタレート等からなる透明フィルム８と、透明フィルム８の上に形成された透光性、粘着性を有するイオン伝導性高分子ゲルからなる透明電極粘着層９と、透明電極粘着層９に分散形成された架橋ポリメタクリル酸メチルの粒形樹脂ビーズ等からなるスペーサ１０から構成されている。
【００４７】
一方、ＥＬシート３は、ポリエチレン、ポリエステル、ポリエチレンテレフタレート、ポリイミド等からなる基材フィル１１と、その上に形成された銅やアルミニウム等の導電性材料を接着剤等で接着してなる裏面電極１２と、チタン酸バリウムからなる高誘電体粉末をフッ素ゴム中に分散してなる反射絶縁層１３と、硫化亜鉛を銅で付活し防湿コーティングを施した蛍光体をフッ素ゴム中に分散してなる発光層１４から構成されている。
【００４８】
なお、透明導電シート２とＥＬシート３は、スペーサ１０により所定の距離を離して設置されている。
【００４９】
収納ケース４は、透明導電シート２とＥＬシート３を収納して衝撃や熱等の外部環境から保護するようになっている。また、固定フレーム５は、透明導電シート２とＥＬシート３の周縁部に取付けられ、両者２、３を収納ケース４に安定に固定するようになっている。さらに、加圧ピン６は、収納ケース４に形成されたガイド溝１５に挿入され、固定フレーム５を介してＥＬシート３の端部を下方に加圧するようになっている。また、バネ材やゴム材等からなる弾性材７は、加圧されるＥＬシート３の下方に設けられ、一端がＥＬシート３に当接され、他端が収納ケース４に当接されている。
【００５０】
次に、図１（ａ）により、本実施例の発光表示装置１の発光方法を説明する。先ず、透明電極粘着層９と裏面電極１２に交流電源により所定の交流電圧を印加する。次に、ペン（導電性インクは必要ない）、スティック、スタイラス、細い棒状の物、指等の押圧治具１６により透明導電シート２をＥＬシート３に押しつけ、発光表示させたい文字や図形を描く。透明導電シート２の透明電極粘着層９は、透光性、粘着性を有するイオン伝導性高分子ゲルから形成されているので、高分子ゲルの粘着力により、押圧された箇所の透明導電シート２はＥＬシート３に接着保持される。そして、透明導電シート２とＥＬシート３に高電界がかかり、文字や図形が発光表示される。この文字や図形は、透明導電シート２がＥＬシート３に接着している間、連続して発光表示される。
【００５１】
次に、図１（ｂ）により、本実施例の発光表示装置１の消光方法を説明する。先ず、収納ケース４の上部に設けられた加圧ピン６を押すと、ＥＬシート３の端部に剥離方向の力が加わる。このとき、ＥＬシート３の他端は、固定フレーム５により収納ケース４に固定されているので、この部分を支点として加圧ピン６で押された部分のＥＬシート３が下方に押下げられる。また、ＥＬシート３の周縁部は固定フレーム５で保護されているので、加圧ピン６で押されても損傷することがない。この押下げ力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００５２】
消光後に加圧ピン６を離すと、ＥＬシート３の端部に加わっていた力が開放され、弾性材７の反力により、ＥＬシート３と加圧ピン６が元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００５３】
このように、本実施例の発光表示装置１によれば、ＥＬシート３を押下げることにより、接着面に対し下方向に力が働くので、透明導電シート２とＥＬシート３を確実に剥離することができる。これにより、長期に亘って安定して発光、消光を行うことができる。
【００５４】
次に、本発明の好ましい他の実施の形態を、図面を参照して説明する。図２は本発明の第２実施例の発光表示装置２１の構成を示す断面図であり、図２（ａ）は発光状態を示し、図２（ｂ）は消光状態を示している。なお、第１実施例と同一の構成には、同一符号を付して説明を省略する。
【００５５】
図２（ａ）に示す第２実施例の発光表示装置２１は、透明導電シート２、ＥＬシート３、収納ケース４、固定フレーム５、回転板２２、回転軸２３、加圧ピン２４、弾性材２５を備えている。回転板２２は収納ケース４の側面部に設けられ、回転自在に構成されている。また、回転軸２３は収納ケース４の内部に設けられ、回転板２２の中心部に接続されている。さらに、加圧ピン２４は回転軸２３に接続され、固定フレーム５を介してＥＬシート３の端部を下方に加圧するようになっている。また、弾性材２５は、加圧されるＥＬシート３の下方に設けられ、一端がＥＬシート３に当接され、他端が収納ケース４に当接されている。
【００５６】
次に、図２（ｂ）により、本実施例の発光表示装置２１の消光方法を説明する。先ず、収納ケース４の側面部に設けられた回転板２２を回すと、回転板２２に接続された回転軸２３が同一方向に回転する。さらに、回転軸２３に接続された加圧ピン２４も下方向に回転し、水平位置から垂直位置に保持される。この加圧ピン２４の回転によりＥＬシート３の端部に剥離方向の力が加わる。このとき、回転板２２に加圧ピン２４の位置に対応するようにマーク２６を付けておけば、収納ケース４の外側から容易に加圧ピン２４の位置を知ることができる。また、固定カバー５に突起部２７を設けておけば、回転板２２のストッパとして働き、加圧ピン２４を正確に垂直位置に保持することができる。ＥＬシート３の他端は、固定フレーム５により収納ケース４に固定されているので、この部分を支点として加圧ピン２４で押された部分のＥＬシート３が下方に押下げられる。この押下げ力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００５７】
消光後に回転板２２を逆に回すと、回転軸２３と加圧ピン２４も逆方向に回転する。この加圧ピン２４の回転によりＥＬシート３の端部に加わっていた圧力が開放され、弾性材２５の反力により、ＥＬシート３と加圧ピン２４が元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００５８】
このように、本実施例の発光表示装置２１によれば、ＥＬシート３を押下げることにより、接着面に対し下方向に力が働くので、透明導電シート２とＥＬシート３を確実に剥離することができる。これにより、長期に亘って安定して発光、消光を行うことができる。
【００５９】
次に、本発明の好ましい他の実施の形態を、図面を参照して説明する。図３は本発明の第３実施例の発光表示装置３１の構成を示す断面図であり、図３（ａ）は発光状態を示し、図３（ｂ）は消光状態を示している。なお、第１実施例と同一の構成には、同一符号を付して説明を省略する。
【００６０】
図３（ａ）に示す第３実施例の発光表示装置３１は、透明導電シート２、ＥＬシート３、収納ケース４、固定フレーム５、第１ローラ３２、第２ローラ３３、駆動部３４、スイッチ３５を備えている。第１ローラ３２と第２ローラ３３は収納ケース４の内部に設けられ、ＥＬシート３が巻かれている。また、第１ローラ３２と第２ローラ３３には駆動部３４が接続され、スイッチ３５の操作により駆動部３４が作動し、両者３２、３３が回転するように構成されている。
【００６１】
次に、図３（ｂ）により、本実施例の発光表示装置３１の消光方法を説明する。先ず、スイッチ３５を押すと、駆動部３４が作動し、第１ローラ３２と第２ローラ３３が所定時間だけ回転する。このとき同時に、第１ローラ３２と第２ローラ３３に巻かれたＥＬシート３も横方向に回転移動する。この回転力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００６２】
一旦、引き剥がされた透明導電シート２とＥＬシート３は、スペーサ１０により所定の距離を離して設置されているため、発光することがない。その後、再び押圧治具１６により描き込みを行えば、任意の文字や図形を発光表示させることができる。
【００６３】
このように、本実施例の発光表示装置３１によれば、ＥＬシート３を回転させることにより、接着面に対し横方向に力が働くので、透明導電シート２とＥＬシート３を確実に剥離することができる。これにより、長期に亘って安定して発光、消光を行うことができる。本実施例では、ＥＬシート３を回転移動させる場合について説明したが、ＥＬシート３を固定し、透明導電シート２を第１ローラ３２と第２ローラ３３に巻きつけて回転させるようにしてもよい。また、駆動部３４を用いず、手動にて第1ローラ３２と第２ローラ３３を回転させるようにしてもよい。
【００６４】
次に、本発明の好ましい他の実施の形態を、図面を参照して説明する。図４は本発明の第４実施例の発光表示装置４１の構成を示す断面図であり、図４（ａ）は発光状態を示し、図４（ｂ）は消光状態を示している。なお、第１実施例と同一の構成には、同一符号を付して説明を省略する。
【００６５】
図４（ａ）に示す第４実施例の発光表示装置４１は、透明導電シート２、ＥＬシート３、収納ケース４、固定フレーム５、スライド軸４２、固定具４３、駆動部４４、スイッチ４５、ガイド溝４６を備えている。スライド軸４２は収納ケース４の内部に設けられ、その下部に固定具４３が取付けられている。固定具４３にはＥＬシート３の一端が固定保持されている。また、スライド軸４２には駆動部４４が接続され、駆動部４４にはスイッチ４５が接続されている。
【００６６】
次に、図４（ｂ）により、本実施例の発光表示装置４１の消光方法を説明する。先ず、スイッチ４５を押すと、駆動部４４が作動し、スライド軸４２が所定距離だけ、収納ケース４内に設けられたガイド溝４６に沿って水平移動する。このとき同時に、固定具４３と、固定具４３に固定保持されたＥＬシート３の一端も横方向に水平移動する。ＥＬシート３の他端は、固定フレーム５により収納ケース４に固定されているので、この部分を支点としてスライド軸４２の移動によりＥＬシート３が下側に引っ張られる。この引っ張り力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００６７】
消光後にスライド軸４２をガイド溝４６に沿って逆移動させると、固定具４３とＥＬシート３も逆方向に移動し、元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００６８】
このように、本実施例の発光表示装置４１によれば、ＥＬシート３の一端を引っ張ることにより、接着面に対し下方向に力が働くので、透明導電シート２とＥＬシート３を確実に剥離することができる。これにより、長期に亘って安定して発光、消光を行うことができる。本実施例では、ＥＬシート３を下側に引っ張る場合について説明したが、透明導電シート２の一端を固定具４３に固定保持し、透明導電シート２を上側に引っ張るようにしてもよい。また、駆動部４４を用いず、手動にてスライド軸４２を水平移動させるようにしてもよい。
【００６９】
次に、本発明の好ましい他の実施の形態を、図面を参照して説明する。図５は本発明の第５実施例の発光表示装置５１の構成を示す断面図であり、図５（ａ）は発光状態を示し、図５（ｂ）は消光状態を示している。なお、第１実施例と同一の構成には、同一符号を付して説明を省略する。
【００７０】
図５（ａ）に示す第５実施例の発光表示装置５１は、透明導電シート２、ＥＬシート３、収納ケース４、固定フレーム５、スライド軸５２、ローラ５３、駆動部５４、スイッチ５５、ガイド溝５６を備えている。スライド軸５２は収納ケース４の内部に設けられ、その外周部にはローラ５３が設けられている。また、スライド軸５２には駆動部５４が接続され、駆動部５４にはスイッチ５５が接続されている。
【００７１】
次に、図５（ｂ）により、本実施例の発光表示装置５１の消光方法を説明する。先ず、スイッチ５５を押すと、駆動部５４が作動し、スライド軸５２が所定距離だけ、収納ケース４内に設けられたガイド溝５６に沿って水平移動する。このとき同時に、スライド軸５２の外周部に設けられたローラ５３が回転し、ＥＬシート３を巻き取る。ＥＬシート３の他端は、固定フレーム５により収納ケース４に固定されているので、この部分を支点としてローラ５３によりＥＬシート３が下側に引っ張られる。この引っ張り力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００７２】
消光後にスライド軸５２をガイド溝５６に沿って逆移動させると、ローラ５３が逆回転し、ＥＬシート３が元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００７３】
このように、本実施例の発光表示装置５１によれば、ＥＬシート３の一端を巻き取ることにより、接着面に対し下方向に力が働くので、透明導電シート２とＥＬシート３を確実に剥離することができる。これにより、長期に亘って安定して発光、消光を行うことができる。本実施例では、ＥＬシート３を巻き取る構成について説明したが、ＥＬシート３を固定し、透明導電シート２をローラ５３により巻き取るようにしてもよい。また、駆動部５４を用いず、手動にてスライド軸５２を水平移動させるようにしてもよい。
【００７４】
次に、本発明の好ましい他の実施の形態を、図面を参照して説明する。図６は本発明の第６実施例の発光表示装置６１の構成を示す断面図であり、図６（ａ）は発光状態を示し、図６（ｂ）は消光状態を示している。第１実施例と同一の構成には、同一符号を付して説明を省略する。
【００７５】
図６（ａ）に示す第６実施例の発光表示装置６１は、透明導電シート２、ＥＬシート３、収納ケース４、固定フレーム５、レバー６２、回転軸６３、加圧ピン６４、弾性材６５を備えている。レバー６２は収納ケース４の上部に設けられ、倒立自在に構成されている。また、回転軸６３は収納ケース４の内部に設けられ、レバー６２の端部に接続されている。さらに、加圧ピン６４はレバー６２と略直角になるようにして回転軸６３に接続され、固定フレーム５を介して透明電極粘着シート２の端部を上方に加圧するよう構成されている。また、弾性材６５は、レバー６２の可倒側に設けられ、一端が収納ケース４に当接され、他端がレバー６２に当接されている。
【００７６】
次に、図６（ｂ）により、本実施例の発光表示装置６１の消光方法を説明する。先ず、レバー６２を手前側に倒すと、レバー６２に接続された回転軸６３が同一方向に回転する。さらに、回転軸６３に接続された加圧ピン６４も上方向に回転し、透明導電シート２の端部に剥離方向の力が加わる。このとき、透明導電シート２の他端は、固定フレーム５により収納ケース４に固定されているので、この部分を支点として加圧ピン６４で押された部分の透明導電シート２が上方向に押上げられる。この押上げ力により、透明導電シート２とＥＬシート３の接着面が引き剥がされ、透明電極粘着シート２とＥＬシート３がオープン状態になる。その結果、透明電極粘着シート２とＥＬシート３に高電界がかからなくなり消光される。
【００７７】
消光後にレバー６２を離すと、透明導電シート２の端部に加わっていた力が開放され、弾性材６５の反力により、透明導電シート２、レバー６２及び加圧ピン６４が元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００７８】
このように、本実施例の発光表示装置６１によれば、透明導電シート２を押上げることにより、接着面に対し上方向に力が働くので、透明導電シート２とＥＬシート３を確実に剥離することができる。これにより、長期に亘って安定して発光、消光を行うことができる。
【００７９】
次に、本発明の好ましい他の実施の形態を、図面を参照して説明する。図７は本発明の第７実施例の発光表示装置７１の構成を示す断面図であり、図７（ａ）は発光状態を示し、図７（ｂ）は消光状態を示している。第１実施例と同一の構成には、同一符号を付して説明を省略する。
【００８０】
図７（ａ）に示す第７実施例の発光表示装置７１は、透明導電シート２、ＥＬシート３、収納ケース４、固定フレーム５、第１加圧ピン７２、第２加圧ピン７３、支持台７４、第１弾性材７５、第２弾性材７６、支持ピン７７、ガイド溝７８を備えている。第１加圧ピン７２は収納ケース４に形成されたガイド溝７８に挿入され、収納ケース４内の第２加圧ピン７３と、支持台７４を介して接続されている。また、支持台７４の下には、支持ピン７７を挟んで、同一の弾性係数を有する第１弾性材７５と第２弾性材７６が設けられている。
【００８１】
次に、図７（ｂ）により、本実施例の発光表示装置７１の消光方法を説明する。先ず、第１加圧ピン７２を押すと、支持台７４に圧力がかかる。支持台７４は、中央部に設けた支持ピン７７を支点として、左右が対称となるよう昇降自在に構成されているので、第１加圧ピン７２による圧力は、支持台７４を介して第２加圧ピン７３に伝わる。これにより、第２加圧ピン７３は上方向に押上げられ、透明導電シート２の端部に剥離方向の力が加わる。このとき、透明導電シート２の他端は、固定フレーム５により収納ケース４に固定されているので、この部分を支点として第２加圧ピン７３で押された部分の透明導電シート２が上方に押上げられる。この押上げ力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００８２】
消光後に第１加圧ピン７２を離すと、透明導電シート２の端部に加わっていた力が開放され、第１弾性材７５と第２弾性材７６の反力により、透明導電シート２、第１加圧ピン７２及び第２加圧ピン７３が元の位置に戻る。また、第１弾性材７５と第２弾性材７６は同一の弾性係数を有する材料で構成されているので、透明導電シート２が加圧されていない状態では、支持台７４が平行に保持される。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００８３】
このように、本実施例の発光表示装置７１によれば、透明導電シート２を押上げることにより、接着面に対し上方向に力が働くので、透明電極粘着シート２とＥＬシート３を確実に剥離することができる。これにより、長期に亘って安定して発光、消光を行うことができる。
【００８４】
次に、本発明の好ましい他の実施の形態を、図面を参照して説明する。図８は本発明の第８実施例の発光表示装置８１の構成を示す断面図であり、図８（ａ）は発光状態を示し、図８（ｂ）は消光状態を示している。第１実施例と同一の構成には、同一符号を付して説明を省略する。
【００８５】
図８（ａ）に示す第８実施例の発光表示装置８１は、透明導電シート２、ＥＬシート３、収納ケース４、固定フレーム５、第１回転ピン８２、第２回転ピン８３、第１ギア８４、第２ギア８５、ガイド溝８６を備えている。第１回転ピン８２は収納ケース４に形成されたガイド溝８６に挿入され、第１ギア８４と第２ギア８５を介して、収納ケース４内の第２回転ピン８３に接続されている。この第１ギア８４、第２ギア８５は、互いに嵌合して連動するように構成されている。また、第２回転ピン８３は、ＥＬシート２の固定フレーム５に接続されている。
【００８６】
次に、図８（ｂ）により、本実施例の発光表示装置８１の消光方法を説明する。先ず、第１回転ピン８２を回すと、第１回転ピン８２に接続された第１ギア８４が同一方向に回転する。その回転が第１ギア８４から第２ギア８５に伝達され、第２回転ピン８３が回転する。さらに、第２回転ピン８３に接続された固定フレーム５も回転し、透明導電シート２に回転の力が加わる。このとき、透明導電シート２の他端は、固定フレーム５により収納ケース４に固定されているので、この部分を支点として第２回転ピン８３の力が加わった部分の透明導電シート２が横方向に引張られる。この引張り力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００８７】
消光後に第１回転ピン８２を逆方向に回すと、透明導電シート２の端部に加わっていた力が開放される。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００８８】
このように、本実施例の発光表示装置８１によれば、透明導電シート２の一端を回転させることにより、接着面に対し横方向に力が働くので、透明電極粘着シート２とＥＬシート３を確実に剥離することができる。これにより、長期に亘って安定して発光又は消光を行うことができる。
【００８９】
次に、本発明の好ましい他の実施の形態を、図面を参照して説明する。図９は本発明の第９実施例の発光表示装置９１の構成を示す断面図であり、図９（ａ）は発光状態を示し、図９（ｂ）は消光状態を示している。なお、第１実施例と同一の構成には、同一符号を付して説明を省略する。
【００９０】
図９（ａ）に示す第９実施例の発光表示装置９１は、透明導電シート２、ＥＬシート３、収納ケース４、固定フレーム５、挿入軸９２、駆動部９３、スイッチ９４、ガイド溝９５を備えている。挿入軸９２は、その両側に鋭角状の先端部を有し、透明導電シート２とＥＬシート３の間に配置されている。また、挿入軸９２には駆動部９３が接続され、駆動部９３にはスイッチ９４が接続されている。
【００９１】
次に、図９（ｂ）により、本実施例の発光表示装置９１の消光方法を説明する。先ず、スイッチ９４を押すと、駆動部９３が作動し、挿入軸９２が所定距離だけ、収納ケース４内に設けられたガイド溝９５に沿って水平移動する。このとき、透明導電シート２とＥＬシート３の両端は、固定フレーム５により収納ケース４に固定されているので、挿入軸９２が透明導電シート２とＥＬシート３の間を水平移動すると、透明導電シート２とＥＬシート３が両端を支点として互いに、挿入軸９２の高さ分だけ上下方向に膨らむ。この膨らむ力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００９２】
消光後に挿入軸９２をガイド溝９５に沿って逆移動させると、膨らんだ透明導電シート２とＥＬシート３が元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。
【００９３】
このように、本実施例の発光表示装置９１によれば、透明導電シート２とＥＬシート３の間に挿入軸９２を水平移動させることにより、接着面に対し上下方向に力が働くので、透明導電シート２とＥＬシート３を確実に剥離することができる。これにより、長期に亘って安定して発光又は消光を行うことができる。また、挿入軸９２は、その両側に鋭角状の先端部を有しているので、左右どちらの方向にも移動できる。なお、本実施例では、駆動部９３により挿入軸９２を水平移動させたが、手動にて行うようにしてもよい。
【００９４】
次に、本発明の好ましい他の実施の形態を、図面を参照して説明する。図１０は本発明の第１０実施例の発光表示装置１０１の構成を示す断面図であり、図１０（ａ）は発光状態を示し、図１０（ｂ）は消光状態を示している。第１実施例と同一の構成には、同一符号を付して説明を省略する。
【００９５】
図１０（ａ）に示す第１０実施例の発光表示装置１０１は、透明導電シート２、ＥＬシート３、収納ケース４、固定フレーム５、ガス供給孔１０２、ガス排出孔１０３、ガス供給源１０４、排出バルブ１０５、スイッチ１０６を備えている。ガス供給孔１０２とガス排出孔１０３は、透明導電シート２とＥＬシート３を挟み、収納ケース４内に対向するように形成されている。さらに、ガス供給孔１０２はガス供給源１０４に接続され、ガス排出孔１０３は排出バルブ１０５に接続されている。また、ガス供給源１０４はスイッチ１０６に接続されている。
【００９６】
次に、図１０（ｂ）により、本実施例の発光表示装置１０１の消光方法を説明する。先ず、スイッチ１０６を押すと、ガス供給源１０４から、ガス供給孔１０２を介して収納ケース４内にガスを供給される。このとき、排出バルブ１０５は閉じた状態である。透明導電シート２とＥＬシート３の両端は、固定フレーム５により収納ケース４に固定されているので、透明導電シート２とＥＬシート３の全面に所定のガス圧が加わると、両端を支点として互いに上下方向に膨らむ。この膨らむ力により、透明導電シート２とＥＬシート３の接着面が引き剥がされ、透明導電シート２とＥＬシート３がオープン状態になる。その結果、透明導電シート２とＥＬシート３に高電界がかからなくなり消光される。
【００９７】
消光後にガス供給源１０４よりガスの供給を停止し、排出バルブ１０５を開いて、ガス排出孔１０３より収納ケース４内のガスを排出すると、透明導電シート２とＥＬシート３に加わっていたガス圧が開放されて元の位置に戻る。なお、元の位置に戻った透明導電シート２とＥＬシート３は、スペーサ１０により所定の距離を離して設置されているため、発光することがない。その後、再び押圧治具１６により描き込みを行えば、任意の文字や図形を発光表示させることができる。なお、ガス供給源１０４より供給するガスは、空気、窒素、アルゴン、ヘリウム又はこれらの混合ガスを使用することができる。
【００９８】
このように、本実施例の発光表示装置１０１によれば、透明導電シート２とＥＬシート３の全面にガスを供給することにより、接着面に対し上下方向に力が働くので、透明導電シート２とＥＬシート３を確実に剥離することができる。これにより、長期に亘って安定して発光又は消光を行うことができる。
【００９９】
また、上述した各実施例では、ペン（導電性インクは必要ない）、スティック、スタイラス、細い棒状の物、指等の押圧治具１６で透明導電シート２を上部から押圧し、透明導電シート２とＥＬシート３を部分的に接着させることにより、文字や図形を発光させていた。これ以外にも、例えば図１１（ａ）に示すように、押圧治具１１１の片面又は両面に文字や図形に対応した凸部１１２を形成し、この押圧治具１１１を本発明の発光表示装置に適用するようにしてもよい。押圧治具１１１に形成された凸部１１２により、発光表示装置１の透明導電シート２を上部から押圧し、凸部１１２に対応した部分の透明導電シート２をＥＬシート３に接着させることにより、図１１（ｂ）に示すような文字１１３や図形１１４を、安定して発光表示させることができる。
【０１００】
このように、本発明の発光表示装置に用いられる押圧治具１１１によれば、片面又は両面にあらかじめ任意の文字や図形に対応した凸部１１２が形成されているので、高品位の文字や図形を安定して発光表示させることができる。
【０１０１】
また、これらの凸部１１２は、図１２（ａ）に示すように押圧治具１１１に直接形成してもよいし、図１２（ｂ）に示すように押圧治具１１１に接着剤や両面テープ等の接着部材１１５で固定してもよい。また、図１２（ｃ）に示すように凸部１１２を形成した別体の治具１１６を、押圧治具１１１の先端に取付けるようにしてもよい。
【０１０２】
これらの押圧治具１１１により透明導電シート２とＥＬシート３を接着させ、透明導電シート２とＥＬシート３に交流電圧を連続して印加すれば、文字や図形を連続発光させることができる。また、透明導電シート２とＥＬシート３に交流電圧を間隔をおいて印加すれば、点滅発光させることができる。また、点滅の間隔を長くすれば、何もないところから、文字や図形を急に出現させることもできる。また、交流電圧の強度を時間とともに変化させるようにすれば、文字や図形を徐々に暗くさせたり、明るくさせることができる。これにより、発光表示装置１の視覚効果をより一層高めることができる。
【０１０３】
これらは、例えば看板や広告等のように表示する情報を日々変化させるような宣伝媒体としての利用に好適する。高品位の文字や図形を安定して発光表示させることができるので、見る人の興味を大いに引きつけることができる。
【０１０４】
以上、本発明の発光表示装置１、２１、３１、４１、５１、６１、７１、８１、９１、１０１では、透明導電シート２とＥＬシート３を接着又は剥離させることによって発光又は消光を行う場合について説明したが、図１５（ａ）〜図１６（ｅ）に示した電界発光灯１６１、１７１、１８１、１９１、２０１にも適用することができる。
【０１０５】
また、透明電極粘着層９の材料はイオン伝導性高分子ゲルのみならず、酸化インジウム、酸化錫、酸化アンチモン、酸化亜鉛、又はポリアニリン、ポリエチレンジオキシチオフェン等の透明導電性高分子を、アクリル系粘着剤に分散して使用してもよい。また、図１６（ｃ）の電界発光灯１８１に適用する場合、裏面電極粘着層１８４の材料はイオン伝導性高分子ゲルのみならず、酸化インジウム、酸化錫、酸化アンチモン、酸化亜鉛、カーボン、アルミニウム、ニッケル、銅、銀、白金、金又は導電性高分子を、アクリル系粘着剤に分散して使用してもよい。裏面電極粘着層１８４は、透光性を有していなくてもよいので、材料の選択範囲が広がる。そのため、より抵抗値の低い材料を使用することができ、発光表示装置の低消費電力化につながなる。
【０１０６】
また、本発明の発光表示装置１、２１、４１、５１、６１、７１、８１では、透明導電シート２又はＥＬシート３の片側を固定し、もう一方の側に力を加えて剥離するようにしたが、両側に圧力を加えて剥離するようにしてもよい。両側から均等に圧力が加わるので、より一層剥離性を向上させることができる。
【産業上の利用可能性】
【０１０７】
加圧治具、回転治具又は移動治具等の機械的手段により導電シート又はＥＬシートに剥離方向の力を加え、導電シートとＥＬシートの接着面を引き剥がすことによって、導電シートとＥＬシートを確実に剥離することができる。また、挿入治具等の機械的手段又は供給ガス等のガス加圧手段により導電シートとＥＬシートの両者に剥離方向の力を加え、導電シートとＥＬシートの接着面を引き剥がすことによって、導電シートとＥＬシートを確実に剥離することができる。これにより、長期に亘って安定して発光又は消光を行うことができる。
【０１０８】
また、文字や図形に対応した凸部を形成した押圧治具により、導電シート又はＥＬシートを押圧し、導電シートとＥＬシートを接着させることによって、高品位の文字や図形を容易に発光表示することができる。これにより、看板や広告等のように表示する情報を日々変化させるような宣伝媒体として利用できる。
【図面の簡単な説明】
【０１０９】
【図１】本発明の第１実施例の発光表示装置の断面図
【図２】本発明の第２実施例の発光表示装置の断面図
【図３】本発明の第３実施例の発光表示装置の断面図
【図４】本発明の第４実施例の発光表示装置の断面図
【図５】本発明の第５実施例の発光表示装置の断面図
【図６】本発明の第６実施例の発光表示装置の断面図
【図７】本発明の第７実施例の発光表示装置の断面図
【図８】本発明の第８実施例の発光表示装置の断面図
【図９】本発明の第９実施例の発光表示装置の断面図
【図１０】本発明の第１０実施例の発光表示装置の断面図
【図１１】本発明の押圧治具と発光表示装置の斜視図及び平面図
【図１２】本発明の他の押圧治具の断面図
【図１３】従来の電界発光灯の断面図
【図１４】本出願人による先願の電界発光灯の断面図
【図１５】本出願人による先願の他の電界発光灯の断面図
【図１６】本出願人による先願の他の電界発光灯の断面図
【符号の説明】
【０１１０】
１  本発明の第１実施例の発光表示装置
２  透明導電シート
３  ＥＬシート
４  収納ケース
５  固定フレーム
６  加圧ピン
７  弾性材
８  透明フィルム
９  透明電極粘着層
１０  スペーサ
１１  基材フィルム
１２  裏面電極
１３  反射絶縁層
１４  発光層
１５  ガイド溝
１６  押圧治具
２１  本発明の第２実施例の発光表示装置
２２  回転板
２３  回転軸
２４  加圧ピン
２５  弾性材
２６  マーク
２７  突起部
３１  本発明の第３実施例の発光表示装置
３２  第１ローラ
３３  第２ローラ
３４  駆動部
３５  スイッチ
４１  本発明の第４実施例の発光表示装置
４２  スライド軸
４３  固定具
４４  駆動部
４５  スイッチ
４６  ガイド溝
５１  本発明の第５実施例の発光表示装置
５２  スライド軸
５３  ローラ
５４  駆動部
５５  スイッチ
５６  ガイド溝
６１  本発明の第６実施例の発光表示装置
６２  レバー
６３  回転軸
６４  加圧ピン
６５  弾性材
７１  本発明の第７実施例の発光表示装置
７２  第１加圧ピン
７３  第２加圧ピン
７４  支持台
７５  第１弾性材
７６  第２弾性材
７７  支持ピン
７８  ガイド溝
８１  本発明の第８実施例の発光表示装置
８２  第１回転ピン
８３  第２回転ピン
８４  第１ギア
８５  第２ギア
８６  ガイド溝
９１  本発明の第９実施例の発光表示装置
９２  挿入軸
９３  駆動部
９４  スイッチ
９５  ガイド溝
１０１  本発明の第１０実施例の発光表示装置
１０２  ガス供給孔
１０３  ガス排出孔
１０４  ガス供給源
１０５  排出バルブ
１０６  スイッチ
１１１  押圧治具
１１２  凸部
１１３  文字
１１４  図形
１１５  接着部材
１１６  別体の治具
１３１  従来の電界発光灯
１３２  絶縁性ベースフィルム
１３３ａ、１３３ｂ  裏面電極
１３４  反射絶縁層
１３５  発光層
１３６  透明電極
１４１  本出願人による先願の電界発光灯
１４２  透明導電シート
１４３  ＥＬシート
１４４  透明フィルム
１４５  透明電極粘着層
１４６  スペーサ
１４７  基材フィルム
１４８  裏面電極
１４９  反射絶縁層
１５０  発光層
１５１  押圧治具
１６１  本出願人による先願の他の電界発光灯
１６２  透明導電シート
１６３  透明電極
１６４  粘着層
１７１  本出願人による先願の他の電界発光灯
１７２  透明導電シート
１７３  ＥＬシート
１８１  本出願人による先願の他の電界発光灯
１８２  裏面導電シート
１８３  ＥＬシート
１８４  裏面電極粘着層
１９１  本出願人による先願の他の電界発光灯
１９２  裏面導電シート
２０１  本出願人による先願の他の電界発光灯
２０２  裏面導電シート
２０３  ＥＬシート
【図１】
2006012697.tif 000003
【図２】
2006012697.tif 000004
【図３】
2006012697.tif 000005
【図４】
2006012697.tif 000006
【図５】
2006012697.tif 000007
【図６】
2006012697.tif 000008
【図７】
2006012697.tif 000009
【図８】
2006012697.tif 000010
【図９】
2006012697.tif 000011
【図１０】
2006012697.tif 000012
【図１１】
2006012697.tif 000013
【図１２】
2006012697.tif 000014
【図１３】
2006012697.tif 000015
【図１４】
2006012697.tif 000016
【図１５】
2006012697.tif 000017
【図１６】
2006012697.tif 000018